(57)【要約】      （修正有）【課題】被調和室内の虫を人などの対象物に寄せ付けることを抑制するとともに、虫の駆除を促進することのできる空気調和装置の室内ユニットを提供する。【解決手段】被調和室に配置される空気調和装置の室内ユニットにおいて、検知対象を検知可能なセンサ６８と、少なくとも検知対象の周囲に虫よけゾーンを形成する虫よけ装置８２と、虫を除去する虫除去装置と、センサ６８が検知対象を検知したときに、検知対象の周囲に虫よけゾーンを形成するように虫よけ装置８２を動作させ、検知対象を検知しないときに、虫除去装置を動作させる制御部８０と、を備えた。【選択図】図５
2018080881.tif 000002
【特許請求の範囲】
【請求項１】
被調和室に配置される空気調和装置の室内ユニットにおいて、
検知対象を検知可能なセンサと、
少なくとも前記検知対象の周囲に虫よけゾーンを形成する虫よけ装置と、
虫を除去する虫除去装置と、
前記センサが前記検知対象を検知したときに、前記検知対象の周囲に虫よけゾーンを形成するように前記虫よけ装置を動作させ、検知対象を検知しないときに、前記虫除去装置を動作させる制御部と、
を備えたことを特徴とする室内ユニット。
【請求項２】
前記虫除去装置は、虫を引き寄せる誘引装置と、引き寄せた虫を吸引する吸引装置と、
を備えることを特徴とする請求項１または請求項２に記載の室内ユニット。
【請求項３】
前記虫除去装置は、虫を除去するダストボックスを備えることを特徴とする請求項２に記載の室内ユニット。
【請求項４】
充電装置を備え、
前記充電装置により、少なくとも前記虫よけ装置と、前記虫除去装置と、前記制御部とが独自運転可能であることを特徴とする請求項２または請求項３に記載の室内ユニット。
【請求項５】
天井埋め込み型の室内ユニット本体と、室内ユニット本体の下方に配置される吸込みグリルと、を備え、
前記虫除去装置が、前記吸込みグリルよりも上方に配置されていることを特徴とする請求項２から請求項４の何れか一項に記載の室内ユニット。
【請求項６】
前記吸込みグリルよりも上方に設けられるエアフィルタと、前記エアフィルタに付着した塵埃を吸引・除去する塵埃除去装置と、をさらに備え、
前記吸引装置が、前記塵埃除去装置の吸引機構を兼ねることを特徴とする請求項５に記載の室内ユニット。
【請求項７】
壁掛け型の室内ユニット本体を備え、前記誘引装置が前記壁掛け型の室内ユニット本体の天面の奥部に沿って配置されていることを特徴とする請求項２から請求項４の何れか一項に記載の室内ユニット。
【請求項８】
エアフィルタと、エアフィルタに付着した塵埃を吸引・除去する塵埃除去装置と、を備え、
前記吸引装置が、前記塵埃除去装置の吸引機構を兼ねることを特徴とする請求項７に記載の室内ユニット。
【発明の詳細な説明】
【技術分野】
【０００１】
本発明は、空気調和装置の室内ユニットに関する。
【背景技術】
【０００２】
従来、空気調和装置の室内ユニットの運転中に、夏場に発生する虫の嫌がる例えば周波数などの音波を出力することにより、虫を寄せ付けない空気調和装置の室内ユニットが知られている（例えば、特許文献１参照）。
例えば、特許文献１によれば、室内ユニットが冷房運転により動作しているときに虫の嫌がる例えば周波数などの音波を出力する発振器が動作するようにしたので、取扱いに手間がかからず、虫の発生する時期になると自動的に虫の駆除が行えるとしている。
【先行技術文献】
【特許文献】
【０００３】
【特許文献１】特開２００１−２２７８０１号公報
【発明の概要】
【発明が解決しようとする課題】
【０００４】
しかしながら、例えば虫の嫌う周波数など出力することにより虫を対象物に寄せ付けにくくする対策を行う場合、例えば空気調和装置の運転を停止するなどこの対策が停止されたときには、部屋の隅等に避けていた虫が再び空気調和装置の室内ユニットが設置される被調和室内において活動的となりうる。そのため、被調和室内から虫を排除することは困難であるという問題があった。
本発明は、上述した事情に鑑みてなされたものであり、被調和室内の虫を人などの対象物に寄せ付けることを抑制するとともに、虫の駆除を促進することのできる空気調和装置の室内ユニットを提供することを目的とする。
【課題を解決するための手段】
【０００５】
上記目的を達成するために、本発明は、被調和室に配置される空気調和装置の室内ユニットにおいて、検知対象を検知可能なセンサと、少なくとも前記検知対象の周囲に虫よけゾーンを形成する虫よけ装置と、虫を除去する虫除去装置と、前記センサが前記検知対象を検知したときに、前記検知対象の周囲に虫よけゾーンを形成するように前記虫よけ装置を動作させ、検知対象を検知しないときに、前記虫除去装置を動作させる制御部と、を備えることを特徴とする。
【発明の効果】
【０００６】
本発明の室内ユニットによれば、センサが検知対象を検知する場合、室内ユニットは、検知対象に虫が近寄ることを防止する。また、センサが検知対象を検知しない場合、室内ユニットは、このあいだに、予め虫を除去する。
そのため、例えば検知対象が被調和室内に存在する場合には、検知対象に蚊を寄せ付けることを抑制するとともに、例えば検知対象が被調和室内に存在しない場合には、この間に蚊の駆除を促進することのできる空気調和装置の室内ユニットを提供できる。
【図面の簡単な説明】
【０００７】
【図１】天井埋め込み型の室内ユニットおよび壁掛け型の室内ユニットが設けられた被調和室の全体像を示す図
【図２】天井埋め込み型の室内ユニットの斜視図
【図３】吸込グリルを下降させた状態を示す天井埋め込み型の室内ユニットの断面図
【図４】天井埋め込み型の室内ユニットの断面図
【図５】室内ユニットの機能的構成を示すブロック図
【図６】室内ユニットの制御動作を示すフローチャート
【図７】壁掛け型の室内ユニットの断面図
【図８】壁掛け型の室内ユニット内部の斜視図
【発明を実施するための形態】
【０００８】
第１の発明は、被調和室に配置される空気調和装置の室内ユニットにおいて、検知対象を検知可能なセンサと、少なくとも前記検知対象の周囲に虫よけゾーンを形成する虫よけ装置と、虫を除去する虫除去装置と、前記センサが前記検知対象を検知したときに、前記検知対象の周囲に虫よけゾーンを形成するように前記虫よけ装置を動作させ、検知対象を検知しないときに、前記虫除去装置を動作させる制御部と、を備えたことを特徴とする室内ユニットである。
この発明によれば、センサが検知対象を検知する場合、室内ユニットは、検知対象に虫が近寄ることを防止する。また、センサが検知対象を検知しない場合、室内ユニットは、このあいだに、予め虫を除去する。
そのため、例えば検知対象が被調和室内に存在する場合には、検知対象に蚊を寄せ付けることを抑制するとともに、例えば検知対象が被調和室内に存在しない場合には、この間に蚊の駆除を促進することができる。
【０００９】
第２の発明は、前記虫除去装置は、虫を引き寄せる誘引装置と、引き寄せた虫を吸引する吸引装置と、を備えることを特徴とする。
この発明によれば、被調和室内の虫を人などの対象物に寄せ付けることを抑制するとともに、虫の駆除を促進することのできる空気調和装置の室内ユニットを提供できる。
【００１０】
第３の発明は、前記虫除去装置は、虫を除去するダストボックスを備えることを特徴とする。
この発明によれば、虫除去装置により吸引した虫を容易に取り除くことができる。
【００１１】
第４の発明は、充電装置を備え、前記充電装置により、少なくとも前記虫よけ装置と、前記虫除去装置と、前記制御部とが独自運転可能であることを特徴とする。
この発明によれば、停電等、電力事情の悪い場合にも、空調運転とは独立して虫よけ装置、虫除去装置、制御部を運転できる。
【００１２】
第５の発明は、天井埋め込み型の室内ユニット本体と、室内ユニット本体の下方に配置される吸込みグリルと、を備え、前記虫除去装置が、前記吸込みグリルよりも上方に配置されていることを特徴とする。
この発明によれば、虫除去装置が吸込みグリルよりも上方にあるため、虫除去装置が被調和室から目立つことなく配置できる。
【００１３】
第６の発明は、前記吸込みグリルよりも上方に設けられるエアフィルタと、前記エアフィルタに付着した塵埃を吸引・除去する塵埃除去装置と、をさらに備え、前記吸引装置が、前記塵埃除去装置の吸引機構を兼ねることを特徴とする。
この発明によれば、塵埃除去装置を搭載する天井埋め込み型の室内ユニットでは、塵埃除去装置に備えられる吸引機構をそのまま吸引装置として用いることができる。そして、エアフィルタの清掃と、虫の除去とを同時に行える。
【００１４】
第７の発明は、壁掛け型の室内ユニット本体を備え、前記誘引装置が前記壁掛け型の室内ユニット本体の天面の奥部に沿って配置されていることを特徴とする。
この発明によれば、壁掛け型の室内ユニット本体の天面のうち壁に近い箇所に誘引装置が備えられるため、使用者から誘引装置が見えにくく、被調和室から目立つことなく誘引装置を配置できる。
【００１５】
第８の発明は、エアフィルタと、エアフィルタに付着した塵埃を吸引・除去する塵埃除去装置と、を備え、前記吸引装置が、前記塵埃除去装置の吸引機構を兼ねることを特徴とする。
この発明によれば、塵埃除去装置を搭載する壁掛け型の室内ユニットでは、塵埃除去装置に備えられる吸引機構をそのまま吸引装置として用いることができる。そして、エアフィルタの清掃と、虫の除去とを同時に行える。
【００１６】
以下、本発明の実施の形態について、図面を参照しながら説明する。なお、本実施の形態によって本発明が限定されるものではない。
【００１７】
（実施の形態１）
図１に示すように、被調和室２００には、天井埋め込み型の室内ユニット１００と、壁掛け型の室内ユニット１が備えられている。また、第２被調和室３００には、天井埋め込み型の室内ユニット１００が備えられている。被調和室２００には、人１５０や犬１７０が示されている。
複数備えられる、天井埋め込み型の室内ユニット１００および壁掛け型の室内ユニット１は、空気調和システム５００を構成している。空気調和システム５００は、統括制御部４００を備える。
【００１８】
実施の形態１では、まず天井埋め込み型の室内ユニット１００について説明する。
図２は、天井埋め込み型の室内ユニット１００の斜視図である。
天井埋め込み型の室内ユニット１００は、箱形に形成された板金製の室内ユニット本体（天井埋め込み型の室内ユニット本体）７０と、化粧パネル２１と、が重ねて構成されている。
室内ユニット本体７０の外側面には、図２に示すように、複数の吊り金具１Ｂが設けられている。天井埋め込み型の室内ユニット１００は、吊下ボルト７２により、天井面１１０から吊り下げ設置される。この場合、化粧パネル２１は、天井面１１０の下方に天井裏空間１１１を介して設けられる天井板１１２に配置されて被調和室２００に露出している。
【００１９】
図２に示すように、室内ユニット本体７０の内部には、側板７０Ａ及び天面の内側に発泡スチロール製の断熱材７３がほぼ全面にわたって配置されている。この断熱材７３の内側には、送風機７９、及び熱交換器８１が収容されている。
熱交換器８１の下方には、熱交換器８１の下面を覆うように、発泡スチロール樹脂等の合成樹脂製のドレンパン８３が配設されている。
【００２０】
室内ユニット本体７０は、フィルタチャンバ２０を備える。フィルタチャンバ２０は、ドレンパン８３の直下に重ねて配設されている。フィルタチャンバ２０は、ドレンパン８３の吹出開口１５に連通する通風孔２５と、ドレンパン８３の吸込開口１４に連通する矩形状の吸込開口２６とを備える。
【００２１】
フィルタチャンバ２０の吸込開口２６には、図２及び図３に示すように、エアフィルタ４０が嵌め込まれている。このエアフィルタ４０は、吸込開口２６を通じて室内ユニット本体７０に流入する被調和室２００内の空気中に含まれる塵埃を捕集する。
エアフィルタ４０は、網目状に形成されるフィルタ素材４１と、このフィルタ素材４１を支持する格子状に形成されたフィルタ支持枠４２とを備え、これらフィルタ素材４１とフィルタ支持枠４２とが一体に形成されている。
【００２２】
フィルタチャンバ２０は、エアフィルタ４０の風上側、すなわちエアフィルタ４０の下面側に、エアフィルタ４０に付着した塵埃を自動的に除去して掃除する塵埃除去装置５０を備える。
塵埃除去装置５０は、エアフィルタ４０の全幅に渡って延在する横長のブラシユニット５１と、このブラシユニット５１をエアフィルタ４０の下面で移動可能に支持する一対のガイドレール５２Ｌ，５２Ｒとを備える。この塵埃除去装置５０は、エアフィルタ４０の下面を、図４に矢印Ｘで示す略水平方向に移動可能に構成されている。塵埃除去装置５０は、ブラシユニット５１に備えられるブラシにより、この移動の際にエアフィルタ４０に付着した塵埃を除去する。
【００２３】
フィルタチャンバ２０は、エアフィルタ４０の下方に、虫除去装置６０を備える。
虫除去装置６０は、虫を引き寄せる誘引装置６１と、引き寄せた虫を吸引する吸引装置６２と、第２ダストボックス（ダストボックス）６５とを備える。
また、虫除去装置６０は、引き寄せた虫を吸引装置６２により吸引するための不図示の開口を備える。この開口の大きさ、個数、場所は、主に設計風量により決定される。
【００２４】
この誘引装置６１は、一般的に知られている虫の好む範囲の紫外線を発生させて虫を引き寄せる装置である。誘引装置６１としては、例えば、紫外線を発生させるランプを用いることができる。
吸引装置６２は、誘引装置６１により引き寄せられた例えば蚊などの虫を吸引する。吸引装置６２としては、例えば、ファンが内蔵された吸引装置を用いることができる。吸引装置６２は、誘引装置６１の発生させた紫外線により誘引された蚊を吸引し、吸引した蚊を天井埋め込み型の室内ユニット１００の外へ逃がさないようにできる。
【００２５】
フィルタチャンバ２０の下方には、被調和室２００内に露出する化粧パネル２１が取り付けられている。化粧パネル２１は、被調和室の空気を吸込む吸込口２２と、熱交換器８１を通った調和空気を被調和室に吹き出す吹出口２３とを備える。
吸込口２２はフィルタチャンバ２０の吸込開口２６に連通し、吹出口２３はフィルタチャンバ２０の通風孔２５に連通する位置および形状に形成されている。
【００２６】
化粧パネル２１には、吸込口２２に嵌合する吸込グリル３０と、吸込グリル３０を４本の吊紐によって昇降自在に支持する昇降ユニット３５とが取り付けられている。吸込グリル３０の中央には室内空気を吸い込む吸込口３１が形成されている。吸込口３１は、吸込グリル３０が吸込口２２に嵌合した状態において、エアフィルタ４０の嵌め込まれた吸込開口２６に連通する。
【００２７】
化粧パネル２１の被調和室２００側の面には、人や、犬や猫に代表されるペットなどの検知対象を検知可能なセンサ６８が設けられている。
【００２８】
吸込グリル３０上には、支持台座５７が設けられている。支持台座５７は、吸込グリル３０を昇降させる際に、ブラシユニット５１の第１ダストボックス６７と係合して、第１ダストボックス６７を支持する。
【００２９】
また、吸込グリル３０上には、第２ダストボックス６５が設けられている。この第２ダストボックス６５は、虫除去装置６０と係合可能に構成されている。第２ダストボックス６５には、虫除去装置６０により捕獲した蚊などの虫が溜められる。
第２ダストボックス６５は、第２ダストボックス６５に溜められた蚊などの虫の量を検知する第２センサ６６を備える。
第２ダストボックス６５は、取り外し可能に備えられている。
第２ダストボックス６５は、支持台座５７により支持してもよい。
【００３０】
また、化粧パネル２１の被調和室２００側の面のうち、センサ６８が設けられている箇所とは別の側には、虫よけ装置８２が設けられている。
【００３１】
天井埋め込み型の室内ユニット１００、不図示の充電装置を備える。この充電装置は、例えば停電時等に用いることができる。この充電装置により、少なくとも虫よけ装置８２と、虫除去装置６０と、制御部８０とが独自運転可能とされている。
【００３２】
なお、本実施の形態において、塵埃除去装置５０には、ブラシユニット５１に替えて、吸引によりエアフィルタ４０に付着した塵埃を除去する吸引ユニットを用いてもよい。塵埃除去装置５０に吸引ユニットを用いる場合、本実施の形態に示した吸引装置６２を別途設ける必要はなく、この吸引ユニットを吸引装置６２として用い、吸引ユニットに誘引装置６１を搭載してもよい。また、この場合、第１ダストボックス６７を、蚊などの虫をためるボックスとしても用いることができるため、本実施の形態で示した第２ダストボックス６５は不要となる。また、この場合、第１ダストボックスに第２センサ６６を備えればよい。
【００３３】
また、本実施の形態では、塵埃除去装置５０を搭載した天井埋め込み型の室内ユニット１００により説明したが、塵埃除去装置５０を必ずしも搭載している必要はない。
塵埃除去装置５０を搭載しない天井埋め込み型の室内ユニットにおいては、エアフィルタ４０と吸込グリル３０との間に、虫除去装置６０を備えればよい。
【００３４】
図５は、天井埋め込み型の室内ユニット１００の機能的構成を示すブロック図である。
図５に示すように、天井埋め込み型の室内ユニット１００は、制御部８０と、センサ６８と、第２センサ６６と、虫よけ装置８２と、誘引装置６１と、発信部６９と、を備える。各機能ブロックの機能は、ＣＰＵが、所定の制御プログラムを読み出して実行する等、ハードウェアとソフトウェアとの協働により実現される。
【００３５】
制御部８０は、ＣＰＵが事前にインストールされた制御プログラムを読み出して実行することにより、天井埋め込み型の室内ユニット１００の各部を総括的に制御する。
【００３６】
センサ６８は、被調和室２００内に検知対象が存在するかを検知する。後述するように、制御部８０は、センサ６８が検知対象を検知するか否かにより、虫よけ装置８２による蚊避けモードを稼働させるか、誘引装置６１により蚊捕獲モードを稼働させるか、を決定する。
【００３７】
第２センサ６６は、第２ダストボックス６５に溜められた蚊などの虫の量を検知する。第２ダストボックス６５に所定量（例えば、７割以上）の蚊などの虫が溜まった場合、制御部８０は、発信部６９により、第２ダストボックス６５に所定量の虫が溜まったことを発信することが可能とされている。
発信部６９による発信は、例えば色により発信してもよいし、統括制御部４００を介してパソコンなどの画面に表示してもよいし、音声により発信してもよい。
【００３８】
虫よけ装置８２は、センサ６８の検知した人やペットなどの検知対象の周囲に向けて、一般的に虫が嫌うとされている周波数や、除菌機能を発生させ、人やペットの周囲に虫よけゾーンを形成する装置である。虫よけ装置８２は、例えば、蚊が一般的に嫌うとされている周波数を発生させる。
なお、蚊の嫌う周波数は、人には聞こえない範囲の周波数とできる。
例えば、センサ６８により検知範囲内に人やペットなどの検知対象を検知した場合、蚊避けモードとして、虫よけ装置８２は、制御部８０の指令により、一般的に蚊が嫌うとされている範囲の周波数を被調和室２００内に存在する人やペットの周囲に発生させることにより、人やペットの周囲に蚊よけゾーンを形成する。
【００３９】
誘引装置６１は、一般的に知られている虫の好む紫外線を発生させて虫を引き寄せる装置である。誘引装置６１は、例えば、蚊が一般的に好むとされる範囲の紫外線を発生させる。
制御部８０は、蚊捕獲モードがＯＮとされた場合、一般的に蚊が好むとされている範囲紫外線を、誘引装置６１により発生させる。
【００４０】
統括制御部４００は、例えば図１に示すように、一室である被調和室２００内に複数の天井埋め込み型の室内ユニット１００や壁掛け型の室内ユニット１が備えられている場合において、１つの室内ユニットが後述する蚊捕獲モードＯＮとなったときに、他の室内ユニットも蚊捕獲モードＯＮとするように制御部８０を制御してもよい。
【００４１】
また、一室に複数の天井埋め込み型の室内ユニット１００や壁掛け型の室内ユニット１が備えられている場合、窓もしくはドア側の室内ユニットのみに本実施形態に示す虫よけ装置８２および虫除去装置６０を設けてもよい。
【００４２】
次に、本実施形態における制御動作について、図６に示すフローチャートを参照して説明する。本実施の形態では、蚊の対策を念頭に置いて説明する。
まず、蚊対策がＯＮとされると（ＳＴＥＰ１）、制御部８０は、センサ６８からの情報に基づき、センサ６８の検知範囲内に人やペットの犬などの検知対象がいるかを判断する（ＳＴＥＰ２）。
【００４３】
センサ６８の検知範囲内に人やペットの犬などの検知対象がいる場合（ＳＴＥＰ２：ＹＥＳ）、制御部８０は、センサ６８により検知対象の居場所を検知し（ＳＴＥＰ３）、蚊避けモードをＯＮとする（ＳＴＥＰ４）。蚊避けモードがＯＮとされた場合、制御部８０の指令により、虫よけ装置８２は、検知対象の周囲に向けて蚊の嫌う周波数を発生させ、検知対象の周囲に蚊よけゾーンを形成する。
検知対象がセンサ６８の検知範囲内に存在する間、検知対象が移動しても、センサ６８は、検知対象の居場所を追従する（ＳＴＥＰ５）。虫よけ装置８２は、センサ６８の追従した検知対象の周囲に向けて、蚊の嫌う周波数を発生させる。
検知対象がセンサ６８の検知範囲内に存在し続ける間、センサ６８は、検知対象が検知範囲内にあるかを検知する（ＳＴＥＰ６）。センサ６８は、検知対象がセンサ６８の検知範囲内にある場合（ＳＴＥＰ６：ＹＥＳ）、蚊対策がＯＦＦ（ＳＴＥＰ１１）となるまで、検知対象の居場所追従を継続する（ＳＴＥＰ７）。
【００４４】
センサ６８の検知範囲内に検知対象がいない場合（ＳＴＥＰ２：ＮＯ）、制御部８０は、予め決められた所定時間が経過しているかを判断する（ＳＴＥＰ８）。
所定時間が経過していない場合には（ＳＴＥＰ８：ＮＯ）、センサ６８の検知対象内に検知対象が存在するかの判断が継続される。所定時間が経過しても検知対象が検知されない場合（ＳＴＥＰ８：ＹＥＳ）、制御部８０は、蚊捕獲モードをＯＮとする（ＳＴＥＰ９）。蚊捕獲モードがＯＮとされた場合、制御部８０の指令により、誘引装置６１は、一般的に蚊が好むとされている範囲の紫外線を発生させる。これにより、蚊を誘引装置６１に引き寄せる。
ついで、制御部８０は、蚊捕獲モードがＯＮとされてから予め決められた所定時間が経過したかを判断する（ＳＴＥＰ１０）。予め決められた所定時間が経過していない場合には（ＳＴＥＰ１０：ＮＯ）、蚊捕獲モードＯＮの状態が継続される。予め決められた所定時間が経過した場合には（ＳＴＥＰ１０：ＹＥＳ）、制御部８０は、蚊対策をＯＦＦとする（ＳＴＥＰ１１）。
【００４５】
以上説明したように、本実施の形態によれば、被調和室２００に配置される室内ユニット１００において、人やペットなどの検知対象を検知可能なセンサ６８と、少なくとも検知対象の周囲に蚊よけゾーンを形成する虫よけ装置８２と、虫を引き寄せる誘引装置６１および引き寄せた虫を吸引する吸引装置６２からなる虫除去装置６０と、センサ６８が検知対象を検知したときに、検知対象の周囲に蚊よけゾーンを形成するように虫よけ装置８２を動作させ、検知対象を検知しないときに、虫除去装置６０を動作させる制御部８０と、を備えた。
これによれば、センサ６８が検知対象を検知する場合、虫よけ装置８２は、検知対象に蚊が近寄ることを防止するため、検知対象の周囲に向けて蚊の嫌う周波数を発生させる。また、センサ６８が検知対象を検知しない場合、誘引装置６１は、蚊の好む紫外線を発生させることにより蚊を引き寄せ、この引き寄せた蚊を吸引装置６２により吸引することにより蚊を除去する。
そのため、例えば検知対象が被調和室２００内に存在する場合には、検知対象に蚊を寄せ付けることを抑制するとともに、例えば検知対象が被調和室２００内に存在しない場合には、この間に蚊の駆除を促進することができる。
【００４６】
また、本実施の形態によれば、虫除去装置６０は、第２ダストボックス６５を備えるため、虫除去装置６０により吸引した蚊などの虫を容易に取り除くことができる。
【００４７】
また、本実施の形態によれば、天井埋め込み型の室内ユニット１００は、充電装置を備えており、この充電装置により、少なくとも虫よけ装置８２と、虫除去装置６０と、制御部８０とが独自運転可能である。
これによれば、停電等、電力事情の悪い場合にも、空調運転とは独立して虫よけ装置８２、虫除去装置６０、制御部８０を運転でき、電力事情の有無に関わらず本実施の形態に係る運転を実現できる。
【００４８】
また、本実施の形態によれば、天井埋め込み型の室内ユニット本体７０と、室内ユニット本体７０の下方に配置される吸込グリル３０と、を備え、虫除去装置６０は、吸込グリル３０よりも上方に配置した。
これによれば、虫除去装置６０が吸込グリル３０よりも上方にあるため、虫除去装置６０を被調和室から目立つことなく配置できる。
【００４９】
また、本実施の形態によれば、吸込グリル３０よりも上方に設けられるエアフィルタ４０と、エアフィルタ４０に付着した塵埃を吸引・除去する塵埃除去装置５０と、を備え、吸引装置６２が、塵埃除去装置５０の吸引機構を兼ねている。
これによれば、塵埃除去装置５０を搭載する天井埋め込み型の室内ユニット１００では、塵埃除去装置５０に備えられる吸引機構をそのまま吸引装置６２として用いることができる。部品点数を省略できるうえ、エアフィルタ４０の清掃と、虫の除去とを同時に行える。
【００５０】
（実施の形態２）
実施の形態２では、壁掛け型の室内ユニット１について説明する。
図７は、壁掛け型の室内ユニット１の断面図である。図８は、壁掛け型の室内ユニット１内部の斜視図である。なお、実施の形態２において、実施の形態１と同様の構成については同一の符号を付し、その説明を省略する。
【００５１】
壁掛け型の室内ユニット１は、室内ユニット本体（壁掛け型の室内ユニット本体）１ａと、空気の吹き出し方向を変更する上下羽根５と、を備える。
室内ユニット本体１ａは、熱交換器２と、熱交換器２に風を通すためのファン３と、熱交換器２に流入する空気に含まれる塵埃を除去する塵埃除去装置４と、前面に配された可動パネル６とを備えている。
室内ユニット本体１ａには、人や、犬や猫に代表されるペットなどの検知対象を検知可能なセンサ６８が設けられている。また、室内ユニット本体１ａには、センサ６８の検知した人やペットなどの検知対象の周囲に向けて、一般的に虫が嫌とされている周波数や、除菌機能を発生させ、人やペットの周囲に虫よけゾーンを形成する虫よけ装置８２が設けられている。
【００５２】
壁掛け型の室内ユニット１は、熱交換器２の風上側に配され通過する空気の塵埃を除去するエアフィルタ７を備える。エアフィルタ７は、フィルタ枠７ａと、フィルタ網７ｂと、から構成されている。
【００５３】
塵埃除去装置４は、エアフィルタ７の上流側表面に沿って、かつエアフィルタ７と一定の距離を保って円滑に移動する吸引ノズル８と、吸引ダクト９を介して吸引ノズル８と連通接続される吸引装置１０と、一端が吸引装置１０の排気側に接続され、他端が室外に開放した排気ダクト１１と、を備える。
【００５４】
壁掛け型の室内ユニット本体１ａの天面には、奥部に沿って虫除去装置１６０を備える。虫除去装置１６０は、虫を引き寄せる誘引装置１６１と、引き寄せた虫を吸引する吸引装置１０と、誘引装置１６１と吸引装置１０を繋ぐチューブ１６３と、を備える。本実施の形態では、吸引装置１０は、塵埃除去装置４の吸引装置と、虫除去装置１６０の吸引装置と、を兼ねている。
また、虫除去装置１６０のうち誘引装置１６１の天面には、引き寄せた虫を吸引装置１０により吸引するための開口１６４を備える。この開口１６４の大きさ、個数、場所は、主に設計風量により決定される。
【００５５】
この誘引装置１６１は、虫の好む紫外線を発生させて虫を引き寄せる装置である。誘引装置６１には、例えば、紫外線を発生させるランプを備えることができる。このランプは、開口１６４の内部に備えてもよい。
吸引装置１０は、誘引装置１６１により引き寄せられた蚊などの虫を吸引する。吸引装置１０としては、例えば、ファンが内蔵された吸引装置を用いることができる。吸引装置１０は、誘引装置１６１の発生させた紫外線により誘引された蚊を吸引し、吸引した蚊を壁掛け型の室内ユニット１の外へ逃がさないようにできる。吸引装置１０により吸引された蚊などの虫は、排気ダクト１１から排出される。
吸引装置１０は、第２センサ６６を備える。第２センサ６６は、吸引装置１０に溜められた蚊などの虫の量を検知する。
【００５６】
なお、吸引装置１０には、塵埃除去装置４により塵や埃が集められるため、通常、所定の運転時間やタイミングにより、吸引装置１０から排気ダクト１１を介して、塵や埃が排出される。しかしながら、第２センサ６６が、第２ダストボックス６５に所定量（例えば、７割以上）の蚊などの虫が溜まったことを検知した場合には、通常行われる所定の運転時間やタイミングによる吸引装置１０からの排出にかかわらず、吸引装置１０からの排出を行う。
【００５７】
なお、室内ユニット本体１ａは、塵埃除去装置４を搭載していなくともよい。塵埃除去装置４を搭載していない場合、塵埃除去装置４の吸引装置１０との兼用ではなく、別途の吸引装置を設ければよい。また、この場合、吸引した蚊などの虫が排気ダクト１１により排出されないため、取外しが可能または容易な箇所に、ダストボックスを別途設ければよい。
ダストボックスを設けた場合には、ダストボックスに第２センサ６６を備えてもよい。第２センサの機能は、実施の形態１と同様である。
【００５８】
また、図６に示す実施の形態１における制御動作は、実施の形態２においても同様となる。
【００５９】
以上説明したように、本実施形態によれば、被調和室２００に配置される室内ユニット１において、人やペットなどの検知対象を検知可能なセンサ６８と、少なくとも検知対象の周囲に蚊よけゾーンを形成する虫よけ装置１８１と、虫を引き寄せる誘引装置１６１と、引き寄せた虫を吸引する吸引装置１０と、からなる虫除去装置６０と、誘引装置１６１と吸引装置１０を繋ぐチューブ１６３と、センサ６８が検知対象を検知したときに、検知対象の周囲に蚊よけゾーンを形成するように虫よけ装置１８１を動作させ、検知対象を検知しないときに、虫除去装置１６０を動作させる制御部８０と、を備えた。
これによれば、センサ６８が検知対象を検知する場合、虫よけ装置１８１は、検知対象に蚊が近寄ることを防止するため、検知対象の周囲に向けて蚊の嫌う周波数を発生させる。また、センサ６８が検知対象を検知しない場合、誘引装置１６１は、蚊の好む紫外線を発生させることにより蚊を引き寄せ、この引き寄せた蚊を吸引装置１６２により吸引することにより蚊を除去する。
そのため、例えば検知対象が被調和室２００内に存在する場合には、検知対象に蚊を寄せ付けることを抑制するとともに、例えば検知対象が被調和室２００内に存在しない場合には、この間に蚊の駆除を促進することができる。
【００６０】
また、本実施の形態によれば、誘引装置１６１および開口が壁掛け型の室内ユニット本体１ａの天面の奥部に沿って配置されている。
これによれば、壁掛け型の室内ユニット本体１ａの天面のうち壁に近い箇所に誘引装置１６１および開口が備えられるため、使用者から誘引装置１６１および開口が見えにくく、被調和室から目立つことなく誘引装置１６１および開口を配置できる。
【００６１】
また、本実施の形態によれば、エアフィルタ７と、エアフィルタ７に付着した塵埃を吸引・除去する塵埃除去装置４と、を備え、吸引装置１０が、塵埃除去装置４の吸引機構を兼ねる。
これによれば、塵埃除去装置４を搭載する壁掛け型の室内ユニット１では、塵埃除去装置４に備えられる吸引機構をそのまま吸引装置１０として用いることができる。そして、エアフィルタ４の清掃と、虫の除去とを同時に行える。
【００６２】
以上、本実施の形態に基づいて本発明を説明したが、本発明はこの実施形態に限定されるものではない。あくまでも本発明の一実施の態様を例示するものであるから、本発明の趣旨を逸脱しない範囲において任意に変更、及び応用が可能である。
【符号の説明】
【００６３】
１  壁掛け型の室内ユニット
１ａ  室内ユニット本体（壁掛け型の室内ユニット本体）
４  塵埃除去装置
７  エアフィルタ
８  吸引ノズル
９  吸引ダクト
１０  吸引装置
１１  排気ダクト
２０  フィルタチャンバ
２１  化粧パネル
３０  吸込グリル
４０  エアフィルタ
５０  塵埃除去装置
５１  ブラシユニット
６０、１６０  虫除去装置
６１、１６１  誘引装置
６２，  吸引装置
６５  第２ダストボックス（ダストボックス）
６６  第２センサ
６７  第１ダストボックス
６８  センサ
６９  発信部
７０  室内ユニット本体（天井埋め込み型の室内ユニット本体）
８０  制御部
８２  虫よけ装置
１００  天井埋め込み型の室内ユニット
１６２  開口
１６３  チューブ
２００  被調和室
３００  第２被調和室
４００  統括制御部
【図１】
2018080881.tif 000003
【図２】
2018080881.tif 000004
【図３】
2018080881.tif 000005
【図４】
2018080881.tif 000006
【図５】
2018080881.tif 000007
【図６】
2018080881.tif 000008
【図７】
2018080881.tif 000009
【図８】
2018080881.tif 000010